【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
ハイパースペクトルイメージングおよび分析による、領域の全体にわたる汚染外気粒子状物質のリアルタイム監視およびパラメータプロファイリングのための方法であって、前記方法が：
各々別々の位置と関連している対応する複数のリアルタイムローカル汚染外気粒子状物質データ−情報パッケージを生成するために、前記領域の全体にわたる複数の前記別々の位置の各々で別々にかつ同時に、前記汚染外気粒子状物質のリアルタイムサンプリングならびにハイパースペクトルイメージングおよび分析ステップ；
各々前記別々の位置と関連している対応する複数のリアルタイムローカル屋外天候気象条件データ−情報パッケージを生成するための、前記リアルタイムサンプリング、イメージングおよび分析と同期する方法で、前記複数の別々の位置で別々にかつ同時に、屋外天候気象条件のリアルタイム測定ステップ；
グローバルデータ−情報処理ユニットによる、各前記別々の位置と関連している前記汚染外気粒子状物質の定性的または／および定量的パラメータのリアルタイムローカル地理分布を示す、前記汚染外気粒子状物質の一組のリアルタイムローカル地理分布パラメータデータ−情報プロファイルのリアルタイム生成のための、前記リアルタイムローカル外気粒子状物質データ−情報パッケージおよび前記リアルタイムローカル屋外天候気象条件データ−情報パッケージのリアルタイム処理および分析ステップ；ならびに、
前記グローバルデータ−情報処理および通信ユニットによる、前記領域の全体にわたる前記汚染外気粒子状物質の前記定性的または／および定量的パラメータのリアルタイム領域地理分布を示す、前記汚染外気粒子状物質の一組のリアルタイム領域地理分布パラメータデータ−情報プロファイルのリアルタイム生成のための、前記汚染外気粒子状物質のリアルタイムローカル地理分布パラメータデータ−情報プロファイルの前記組のリアルタイム処理および分析ステップ、を含む方法。
【請求項２】
前記屋外天候気象条件が、以下：（ａ）温度；（ｂ）湿度；（ｃ）気圧；（ｄ）風の動き；（ｅ）降水タイプ、範囲および動き；ならびに（ｆ）雲のタイプ、範囲および動き、からなるグループから選択されることを特徴とする請求項１に記載の方法。
【請求項３】
前記リアルタイム測定屋外天候気象条件が、各前記別々の位置で、外気のローカル天候気象条件データおよび情報の検出、測定、取得、収集、処理、分析および生成のために構成されかつ動作可能な天候気象条件測定ユニットを使用して実行される、ことを特徴とする請求項１または２に記載の方法。
【請求項４】
前記リアルタイムローカル屋外天候気象条件データ−情報パッケージの天候気象条件データおよび情報が、以下の外気パラメータ測定器：（ｉ）外気温度測定器；（ｉｉ）外気湿度測定器；（ｉｉｉ）外気気圧測定器；（ｉｖ）外気風の動き測定器；（ｖ）外気降水タイプ、範囲および動き測定器；ならびに（ｖｉ）外気雲タイプ、範囲および動き測定器、のうち少なくとも１台によって、検出され、測定され、かつ取得されることを特徴とする請求項１〜３のいずれか１項に記載の方法。
【請求項５】
前記リアルタイムローカル屋外天候気象条件データ−情報パッケージが、ローカル外気天候気象条件測定ユニットから前記グローバルデータ−情報処理および通信ユニットに動作可能なように接続されかつそれと通信するローカルデータ−情報処理および通信ユニットに送信される、ことを特徴とする請求項１〜４のいずれか１項に記載の方法。
【請求項６】
前記リアルタイムローカル外気粒子状物質データ−情報パッケージおよび前記リアルタイムローカル屋外天候気象条件データ−情報パッケージの前記リアルタイム処理および分析が、以下：（１）ボトムアップ、地面から空気、ベースのデータ−情報処理および分析技法および手順、または／および（２）トップダウン、空気から地面、ベースのデータ−情報技法および手順、を使用して実行されることを特徴とする請求項１〜５のいずれか１項に記載の方法。
【請求項７】
前記領域の全体にわたる前記汚染外気粒子状物質の地面供給源の連続的にまたは定期的にアップデートされたリアルタイムローカルボトムアップ、地面から空気、タイプ残留量データおよび情報を明らかにしてかつ使用することに基づくデータ−情報処理および分析技法、を更に含む請求項１〜６のいずれか１項に記載の方法。
【請求項８】
前記領域の全体にわたる外気内の大気ガス含量の連続的にまたは定期的にアップデートされたリアルタイムローカルボトムアップ、地面から空気、タイプ残留量データおよび情報を明らかにしてかつ使用することに基づくデータ−情報処理および分析技法、を更に含む請求項１〜７のいずれか１項に記載の方法。
【請求項９】
前記領域の全体にわたる前記汚染外気粒子状物質の地面供給源の連続的にまたは定期的にアップデートされたリアルタイムローカルボトムアップ、地面から空気、タイプ残留量データおよび情報を明らかにしてかつ使用することに基づくデータ−情報処理および分析技法を使用して得られる結果を、前記領域の全体にわたる外気内の大気ガス含量の連続的にまたは定期的にアップデートされたリアルタイムローカルボトムアップ、地面から空気、タイプ残留量データおよび情報を明らかにしてかつ使用することに基づくデータ−情報処理および分析技法を使用して得られる結果に相関させるステップを更に含む請求項１〜８のいずれか１項に記載の方法。
【請求項１０】
前記領域の全体にわたる汚染外気粒子状物質の調節に適しており、前記方法がさらに：
前記領域の全体にわたって前記汚染外気粒子状物質の識別されてかつ分類された地面供給源のデータ−情報を生成するための、前記地面供給源が前記領域の全体にわたって位置する前記汚染外気粒子状物質の前記地面供給源を識別してかつ分類するステップ；
前記グローバルデータ−情報処理および通信ユニットによる、前記地面供給源の１つ以上の動作条件および汚染空気出力を変えることを必要とする少なくとも１つの徴候を判定するための、前記汚染外気粒子状物質の前記識別されかつ分類された地面供給源の前記データ−情報に関する、前記汚染外気粒子状物質のリアルタイム領域地理分布パラメータデータ−情報プロファイルの前記組のリアルタイム処理および分析ステップ；
前記汚染外気粒子状物質の前記１つ以上の地面供給源の各々のオペレータまたはコントローラに前記少なくとも１つの徴候をリアルタイムに通信するステップ；
前記少なくとも１つの徴候に応答して、各前記オペレータまたはコントローラによって、制御された方法で、前記１つ以上の地面供給源の前記動作条件および前記汚染空気出力をリアルタイムに変え、それによって前記領域の全体にわたって前記汚染外気粒子状物質を調節するステップ、を含む請求項１〜９のいずれか１項に記載の方法。
【請求項１１】
ハイパースペクトルイメージングおよび分析による、領域の全体にわたる汚染外気粒子状物質のリアルタイム監視およびパラメータプロファイリングのためのシステムであって、前記システムが：
各々別々の位置と関連している対応する複数のリアルタイムローカル汚染外気粒子状物質データ−情報パッケージを生成するための、複数の前記別々の位置で別々にかつ同時に、前記汚染外気粒子状物質のリアルタイムサンプリングならびにハイパースペクトルイメージングおよび分析を含む、前記領域の全体にわたって対応する前記複数の別々の位置で別々にかつ同時に動作させるために構成される、複数のローカル汚染外気粒子状物質監視、サンプリングおよびデータ−情報処理ステーション；
各々前記別々の位置と関連している対応する複数のリアルタイムローカル屋外天候気象条件データ−情報パッケージを生成するための、前記リアルタイムサンプリング、イメージングおよび分析と同期される方法で、前記複数の別々の位置で別々にかつ同時に、天候気象条件のリアルタイム測定を含む、前記複数の別々の位置で別々にかつ同時に動作させるために構成される、複数のローカル天候気象条件測定ユニット；ならびに、
以下：
（ｉ）各前記別々の位置と関連している前記汚染外気粒子状物質の定性的または／および定量的パラメータのリアルタイムローカル地理分布を示す、前記汚染外気粒子状物質の一組のリアルタイムローカル地理分布パラメータデータ−情報プロファイルのリアルタイム生成のための、前記リアルタイムローカル汚染外気粒子状物質データ−情報パッケージおよび前記リアルタイムローカル屋外天候気象条件データ−情報パッケージのリアルタイム処理および分析；ならびに、
（ｉｉ）前記領域の全体にわたる前記汚染外気粒子状物質の前記定性的または／および定量的パラメータのリアルタイム領域地理分布を示す、前記汚染外気粒子状物質の一組のリアルタイム領域地理分布パラメータデータ−情報プロファイルのリアルタイム生成のための、前記汚染外気粒子状物質のリアルタイムローカル地理分布パラメータデータ−情報プロファイルの前記組のリアルタイム処理および分析、のために構成されるグローバルデータ−情報処理および通信ユニット、を備えるシステム。
【請求項１２】
前記屋外天候気象条件が、以下：（ａ）温度；（ｂ）湿度；（ｃ）気圧；（ｄ）風の動き；（ｅ）降水タイプ、範囲および動き；ならびに（ｆ）雲のタイプ、範囲および動き、からなるグループから選択されることを特徴とする請求項１１に記載のシステム。
【請求項１３】
各前記ローカル天候気象条件測定ユニットが、以下の外気パラメータ測定器：（ｉ）外気温度測定器；（ｉｉ）外気湿度測定器；（ｉｉｉ）外気気圧測定器；（ｉｖ）外気風動き測定器；（ｖ）外気降水タイプ、範囲および動き測定器；ならびに（ｖｉ）外気雲タイプ、範囲および動き測定器、のうち少なくとも１台を含むことを特徴とする請求項１１または１２に記載のシステム。
【請求項１４】
前記リアルタイムローカル屋外天候気象条件データ−情報パッケージが、前記ローカル外気天候気象条件測定ユニットから前記グローバルデータ−情報処理および通信ユニットに動作可能なように接続されかつそれと通信するローカルデータ−情報処理および通信ユニットに送信される、ことを特徴とする請求項１１〜１３のいずれか１項に記載のシステム。
【請求項１５】
前記グローバルデータ−情報処理および通信ユニットが、前記リアルタイムローカル外気粒子状物質データ−情報パッケージおよび前記リアルタイムローカル屋外天候気象条件データ−情報パッケージの前記リアルタイム処理および分析のために、以下：（１）ボトムアップ、地面から空気、ベースのデータ−情報処理および分析技法および手順、または／および（２）トップダウン、空気から地面、ベースのデータ−情報技法および手順、を使用して更に構成されることを特徴とする請求項１１〜１４のいずれか１項に記載のシステム。
【請求項１６】
前記グローバルデータ−情報処理および通信ユニットが、前記領域の全体にわたる前記汚染外気粒子状物質の地面供給源の連続的にまたは定期的にアップデートされたリアルタイムローカルボトムアップ、地面から空気、タイプ残留量データおよび情報を明らかにしてかつ使用することに基づくデータ−情報処理および分析技法を含むために更に構成されることを特徴とする請求項１１〜１５のいずれか１項に記載のシステム。
【請求項１７】
前記グローバルデータ−情報処理および通信ユニットが、前記領域の全体にわたる外気内の大気ガス含量の連続的にまたは定期的にアップデートされたリアルタイムローカルボトムアップ、地面から空気、タイプ残留量データおよび情報を明らかにしてかつ使用することに基づくデータ−情報処理および分析技法を含むために更に構成されることを特徴とする請求項１１〜１６のいずれか１項に記載のシステム。
【請求項１８】
前記グローバルデータ−情報処理および通信ユニットが、前記領域の全体にわたる前記汚染外気粒子状物質の地面供給源の連続的にまたは定期的にアップデートされたリアルタイムローカルボトムアップ、地面から空気、タイプ残留量データおよび情報を明らかにしてかつ使用することに基づくデータ−情報処理および分析技法を使用して得られる結果を、前記領域の全体にわたる外気内の大気ガス含量の連続的にまたは定期的にアップデートされたリアルタイムローカルボトムアップ、地面から空気、タイプ残留量データおよび情報を明らかにしてかつ使用することに基づくデータ−情報処理および分析技法を使用して得られる結果に相関させるために更に構成されることを特徴とする請求項１１〜１７のいずれか１項に記載のシステム。
【請求項１９】
前記領域の全体にわたる汚染外気粒子状物質の調節に適しており、前記システムがさらに：
（ｉｉｉ）前記領域の全体にわたって前記汚染外気粒子状物質の識別されかつ分類された地面供給源のデータ−情報を生成するための、前記地面供給源が前記領域の全体にわたって位置する、前記汚染外気粒子状物質の識別された地面供給源の分類；ならびに
（ｉｖ）前記地面供給源の１つ以上の動作条件および汚染空気出力を変えることを必要とする少なくとも１つの徴候を判定するための、前記汚染外気粒子状物質の前記識別されかつ分類された地面供給源の前記データ−情報に関する、前記汚染外気粒子状物質のリアルタイム領域地理分布パラメータデータ−情報プロファイルの前記組のリアルタイム処理および分析；のために構成される前記グローバルデータ−情報処理および通信ユニット、ならびに、
前記少なくとも１つの徴候に応答して、前記動作条件およびその汚染空気出力を、制御された方法で、各前記オペレータまたはコントローラが、リアルタイムに変え、それによって前記領域の全体にわたって前記汚染外気粒子状物質を調節するために、前記汚染外気粒子状物質の前記１つ以上の前記地面供給源の各々のオペレータまたはコントローラへの前記少なくとも１つの徴候のリアルタイム通信のために構成される、通信機器、を備えることを特徴とする請求項１１〜１８のいずれか１項に記載のシステム。